(57)【要約】【課題】  一般カッタブレード（下部カッタブレード）のエアリフト部に専用カッタブレード（上部カッタブレード）が干渉し、エアリフト部の旋回流・上昇気流発生機能を阻害する点を解決することで、カッタブレードの騒音の低減を図ることを可能にする。【解決手段】  下部カッタブレード１４に、芝草を刈るために回転方向の前方に形成した下刈刃部３８，３８と、下刈刃部３８，３８の後方に形成することで旋回流及び上昇気流を発生させるエアリフト部３９，３９と、を備え、上部カッタブレード１５に、芝草を刈るために回転方向の前方に形成した上刈刃部１２２，１２２と、上刈刃部１２２，１２２の後方にブレード幅を端部に向けて先細りに形成することでエアリフト部３９，３９との干渉を避ける逃げ部１２３，１２３と、を備え、下刈刃部３８に対する上刈刃部１２２の位相を前方に進めて、出力軸２８に上部・下部カッタブレード１５，１４を配置した。【選択図】      図１０
2006067918.tif 000002
【特許請求の範囲】
【請求項１】
カッタハウジングの上部に動力源を取付け、カッタハウジング内に動力源の出力軸を略鉛直に突出させ、この出力軸の先端に下部カッタブレードを取付け、この下部カッタブレードの上方に且つ出力軸に上部カッタブレードを取付けることで、これらのカッタブレードをカッタハウジング内で略水平に回転させる形式の芝刈機において、
前記下部カッタブレードは、芝草を刈るために回転方向の前方に形成した下刈刃部と、この下刈刃部の後方に形成することで旋回流及び上昇気流を発生させるエアリフト部と、を備え、前記上部カッタブレードは、芝草を刈るために回転方向の前方に形成した上刈刃部を備え、
前記下刈刃部に対する前記上刈刃部の位相を前方に進めて、前記出力軸に前記上部・下部カッタブレードを配置したことを特徴とする芝刈機。
【請求項２】
前記エアリフト部の後端面を、波形状に形成したことを特徴とする請求項１記載の芝刈機。
【請求項３】
前記上部カッタブレードを、前記エアリフト部の後端面に略同一高さに設定したことを特徴とする請求項１又は請求項２記載の芝刈機。
【発明の詳細な説明】
【技術分野】
【０００１】
本発明は、カッタハウジング内に２枚のカッタブレードを備え、これらのカッタブレードで芝草面を刈り、この芝草面に細かく裁断した刈草を目立たさないように拡散することができる芝刈機に関するものである。
【背景技術】
【０００２】
芝刈機として、カッタハウジング内に２枚のカッタブレードを備え、これらのカッタブレードで芝草面を刈り、この芝草面に細かく裁断した刈草を目立たさないように拡散する作業形態であるマルチング作業ができる芝刈機が実用に供されている。なお、マルチング作業は、後述するディスチャージ作業の一形態であるとも言える。
【０００３】
実用の芝刈機は、カッタハウジング内に１枚のカッタブレードを備え、このカッタブレードで芝草面を刈り、カッタハウジングの後方に取付けた刈草収集装置（グラスバッグ）に収容する作業形態であるバギング作業（収集作業）をできるようにすれば実用上十分であった。
または、カッタハウジング内に１枚のカッタブレードを備え、このカッタブレードで芝草面を刈り、カッタハウジングの後方から芝草面に刈草を放出する作業形態であるディスチャージ作業をできるようにすれば実用上十分であった。
【０００４】
このような芝刈機として、バギング作業／ディスチャージ作業用の一般カッタブレードに、マルチング作業用の専用カッタブレードを地上高さを変えてセットするものが知られている（例えば、特許文献１参照。）。
【特許文献１】実用新案登録第２５１６５０９号公報（第３頁、第１−第３図）
【０００５】
図１３は従来の芝刈機の基本構成を説明する図であり、図１４は従来のカッタブレードの基本構成を説明する図である。
図１３に示すように、芝刈機２４０は、カッタハウジング２４１の上部に動力源２４２を取付け、この動力源２４２の出力軸２４３にマルチング作業用の専用カッタブレード２４５を取付け、この専用カッタブレード２２５の下方に且つ出力軸にバギング作業／ディスチャージ作業用の一般カッタブレード２４４を取付け、これらの一般カッタブレード２４４及び専用カッタブレード２４５をカッタハウジング２４１内でを回転させて芝草を刈るようにしたものである。
【０００６】
しかし、芝刈機２４０では、図１４に示すように、平面的には一般カッタブレード２４４の上に専用カッタブレード２４５を平行に且つ重ね合わせた位置関係にあり、一般カッタブレード２４４のエアリフト部２４６，２４６に専用カッタブレード２４５が位置するために、図１３に示すカッタハウジング２４１内に搬送風を発生させるエアリフト部２４６，２４６の旋回流・上昇気流発生機能を阻害するすることで、エアリフト部２４６，２４６近傍の気流が乱れ、騒音の増加を招くというという欠点があった。
【０００７】
詳細には、図１３に示すように、上側の専用カッタブレード２２５が下側の一般カッタブレード２４４のエアリフト部２４６，２４６の中間の高さ関係にあるため、エアリフト部２４６，２４６における搬送風の通路が狭められ、旋回流・上昇気流発生機能を妨げる。
【０００８】
また、図１４に示すように、一般カッタブレード２４４の刈刃部（刃先部）２４７，２４７及び専用カッタブレード２４５の刈刃部（刃先部）２４８，２４８の位相が重なった位置関係にある。従って、芝草が上側の専用カッタブレード２２５で切断する際には、刈刃部２４８，２４８の前方に倒され（傾き）、この傾いた状態の芝草を一般カッタブレード２４４の刈刃部２４７，２４７で切断することになり、一般カッタブレード２４４は的確に芝草を切断することができないこともある。
【０００９】
すなわち、一般カッタブレード及び専用カッタブレードの干渉を回避し、これらのカッタブレードの騒音の低減を図ることができる芝刈機が望まれる。
【発明の開示】
【発明が解決しようとする課題】
【００１０】
本発明は、一般カッタブレード（以下、「下部カッタブレード」と記載する）のエアリフト部に専用カッタブレード（以下、「上部カッタブレード」と記載する）が干渉し、エアリフト部の旋回流・上昇気流発生機能を阻害する点を解決し、カッタブレードの騒音の低減を図ることができる芝刈機を提供することを課題とする。
【課題を解決するための手段】
【００１１】
請求項１に係る発明は、カッタハウジングの上部に動力源を取付け、カッタハウジング内に動力源の出力軸を略鉛直に突出させ、この出力軸の先端に下部カッタブレードを取付け、この下部カッタブレードの上方に且つ出力軸に上部カッタブレードを取付けることで、これらのカッタブレードをカッタハウジング内で略水平に回転させる形式の芝刈機において、下部カッタブレードに、芝草を刈るために回転方向の前方に形成した下刈刃部と、この下刈刃部の後方に形成することで旋回流及び上昇気流を発生させるエアリフト部と、を備え、上部カッタブレードに、芝草を刈るために回転方向の前方に形成した上刈刃部を備え、下刈刃部に対する上刈刃部の位相を前方に進めて、出力軸に上部・下部カッタブレードを配置したことを特徴とする。
【００１２】
例えば、一般カッタブレード（下部カッタブレード）のエアリフト部に専用カッタブレード（上部カッタブレード）が干渉し、エアリフト部の旋回流発生機能を阻害することを回避することができるとすれば、カッタブレードの騒音の低減を図ることできるので好ましいことである。
【００１３】
そこで、下刈刃部に対する上刈刃部の位相を前方に進めて、出力軸に上部・下部カッタブレードを配置した。
【００１４】
すなわち、下部カッタブレードに、芝草を刈るために回転方向の前方に形成した下刈刃部と、この下刈刃部の後方に形成することで旋回流及び上昇気流を発生させるエアリフト部と、を備え、上部カッタブレードに、芝草を刈るために回転方向の前方に形成した上刈刃部を備え、下刈刃部に対する上刈刃部の位相を前方に進めて、出力軸に上部・下部カッタブレードを配置することで、下部カッタブレードのエアリフト部に上部カッタブレードが干渉することを回避する。
【００１５】
請求項２に係る発明は、エアリフト部の後端面を、波形状に形成したことを特徴とする。
エアリフト部の後端面を波形状に形成することで、エアリフト部で起こす旋回流・上昇気流を整流する
【００１６】
請求項３に係る発明は、上部カッタブレードを、エアリフト部の後端面に略同一高さに設定したことを特徴とする。
上部カッタブレードを、エアリフト部の後端面に略同一高さに設定することで、下部カッタブレードの干渉を避けるとともに、カッタハウジングの高さ寸法を最小限に抑える。
【発明の効果】
【００１７】
請求項１に係る発明では、下部カッタブレードに、芝草を刈るために回転方向の前方に形成した下刈刃部と、この下刈刃部の後方に形成することで旋回流及び上昇気流を発生させるエアリフト部と、を備え、上部カッタブレードに、芝草を刈るために回転方向の前方に形成した上刈刃部を備え、下刈刃部に対する上刈刃部の位相を前方に進めて、出力軸に上部・下部カッタブレードを配置したので、下部カッタブレードのエアリフト部に上部カッタブレードが干渉することを回避する。これにより、エアリフト部の旋回流・上昇気流発生機能を阻害することを防止することができる。この結果、カッタブレードの騒音の低減を図ることがきるという利点がある。
【００１８】
請求項２に係る発明では、エアリフト部の後端面を波形状に形成することで、エアリフト部で起こす旋回流・上昇気流を整流することができる。この結果、芝草を刈り易いように起立させた状態を保持することができるという利点がある。
【００１９】
請求項３に係る発明では、上部カッタブレードを、エアリフト部の後端面に略同一高さに設定することで、下部カッタブレードの干渉を避けるとともに、カッタハウジングの高さ寸法を最小限に抑える。この結果、芝刈機の重心位置を保持しつつ、騒音の低減を図ることができるという利点がある。
【発明を実施するための最良の形態】
【００２０】
本発明を実施するための最良の形態を添付図に基づいて以下に説明する。なお、図面は符号の向きに見るものとする。
図１は本発明に係る芝刈機の斜視図であり、芝刈機１０は、動力源としてのエンジン１３でカッタブレード１４を回転させ、このカッタブレード１４で芝草面を刈り、刈った刈草をカッタハウジング（カッタデッキ）１２から搬送風とともに刈草収集装置（グラスバッグ）２４に搬送し、この刈草収集装置２４に刈草を収集する芝刈機であるとともに、エンジン１３の回転を後輪１７に伝達し、エンジン１３で後輪１７を駆動するようにした自走式の芝刈機でもある。以下、その詳細を説明する。
【００２１】
図中、１１は機体、１６は前輪、１８はハンドルステー、１９はハンドル、２１はハンドル１９の横方向に渡したハンドルカバー、２２は後輪１７，１７にエンジン１３の動力を伝達する若しくは非伝達にする走行用クラッチレバー、２３はディスチャージガード（グラスカバー）、２５はカッタブレード１４を回転させる若しくは停止させるクラッチレバー（第１の操作レバー若しくは主操作部）、２６はロックレバー（第２の操作レバー若しくは副操作部）、２７はヘッドカバー、６０はロック機構を示す。
【００２２】
なお、クラッチレバー２５は、カッタブレード１４を停止させるときにカッタブレード１４にブレーキを掛ける操作を同時に行うレバーであり、ブレード・ブレーキ・クラッチ（ＢＢＣ）を操作するＢＢＣ用操作レバーと呼ぶこともある。
【００２３】
図２は本発明に係る芝刈機の側面図であり、芝刈機１０は、カッタハウジング１２の上部にエンジン１３を搭載し、このエンジン１３の出力軸（駆動軸）２８にクラッチ機構４０を介してカッタブレード１４を取付け、カッタハウジング１２の前部側面に前輪１６，１６（一方の１６は不図示）を取付け、カッタハウジング１２の後部側面に後輪１７，１７（一方の１７は不図示）を取付け、カッタハウジング１２の後部側面にハンドルステー１８，１８を（一方の１８は不図示）取付け、このハンドルステー１８，１８から後方にハンドル１９を延ばし、このハンドル１９にクラッチ機構４０を操作するクラッチレバー２５を設け、クラッチレバー２５の前方にクラッチレバーの接続機能を封じるロックレバー２６を設け、カッタハウジング１２の後部壁面３１に刈草収集装置（グラスバッグ）２４を着脱自在に取付け、カッタハウジング１２の後部壁面３１上部にディスチャージガード２３をスイング自在に取付けたものである。
【００２４】
なお、刈草収集装置（グラスバッグ）２４は刈草を通過させることなく、搬送風のみを通過させることのできる通気孔（不図示）を有して通気性の素材にて形成したものである。
【００２５】
図３は本発明に係る芝刈機の平面図であり、芝刈機１０は、エンジン１３（図1参照）を始動させた状態でロックレバー２６を機体１１の前方に倒し、クラッチレバー２５をハンドル１９側に倒し、２モーションでクラッチ機構４０を切離し状態から接続状態に移行させ、カッタブレード１４を回転させ、走行用クラッチレバー２２をハンドル１９側に倒し、後輪１７，１７を回転させ、機体１１を自走させつつカッタブレード１４で芝草面を刈るようにした自走式の芝刈機である。
【００２６】
カッタブレード１４は、白抜き矢印Ａ，Ａで示す回転方向に対して前側に位置する部位に刈刃部３８，３８を備え、これらの刈刃部３８，３８から回転方向に対して後側に位置する部位にかけて上方へ湾曲させたエアリフト部３９，３９を形成したもである。
【００２７】
すなわち、芝刈機１０は、カッタブレード１４を回転させることで、エアリフト部３９，３９の下面に生ずる負圧で地表の芝草を立上げ、刈刃部３８，３８で芝草を刈取り、刈取った刈草（刈芝）をエアリフト部３９，３９の上面でヒットし、カッタブレード１４の回転で起きる旋回流に載せ、この旋回流を搬送風として作用させ、この搬送風とともに刈草を白抜き矢印Ｂのように刈草搬送通路（刈芝搬送通路）３２から刈草収集装置（グラスバッグ）２４に送るものである。
【００２８】
図４は図１の４矢視図であり、芝刈機１０の底面を示す。すなわち、芝刈機１０は、エンジン１３（図１参照）でカッタブレード１４を回転させ、このカッタブレード１４をカッタハウジング１２で覆い、カッタハウジング１２に刈草を搬送する刈草搬送通路３２を設け、この刈草搬送通路３２に刈草を溜める刈草収集装置２４（図１参照）を連通させ、カッタブレード１４のエアリフト部３９，３９で発生させる搬送風で刈草を刈草搬送通路３２を経由させて刈草収集装置２４に搬送し、この刈草収集装置２４に刈草を収集するものである。
【００２９】
なお、２９は動力伝達部品（ベルト）、３３はカッタハウジング１２に設けることでカッタフレード１４を回転可能に収納するスクロール部、５２はドライブプーリ、３４は走行用クラッチ、３５は後輪用車軸であり、芝刈機１０は、出力軸２８のドライブプーリ５２から動力伝達部品（ベルト）２９を介してドリブンプーリ２９ａにエンジン１３（図１参照）の出力を伝達し、ドリブンプーリ２９ａからは走行用クラッチ３４を介して後輪用車軸３５にエンジン１３の出力を伝達し、後輪１７，１７（図１参照）を駆動するものである。
【００３０】
図５は本発明に係る芝刈機のマルチング作業状態を示すの側面図であり、マルチング作業（マルチングモード）とは、カッタハウジング内に２枚のカッタブレードを備え、これらのカッタブレードで芝草面を刈り、この芝草面に細かく裁断した刈芝を目立たさないように拡散する作業形態を言う。なお、マルチング作業は、後述するディスチャージ作業の一形態であるとも言える。
【００３１】
また、ディスチャージ作業（ディスチャージモード）とは、１枚のカッタブレードで芝草面を刈り、刈った刈草を刈草搬送通路を経由させディスチャージカバーから外部に刈草を放出する作業形態を言う。
さらに、バギング作業（バギングモード）とは、１枚のカッタブレードで芝草面を刈り、刈った刈草を刈草搬送通路を経由させ、刈草収集装置に収集する作業形態を言う。
【００３２】
すなわち、芝刈機１０は、マルチング作業、ディスチャージ作業及びバギング作業（図２参照）に対応した芝刈機であり、マルチング作業をする場合には、エンジン１３の出力軸にマルチング作業用の上部カッタブレード１５を取付けるとともに、ディスチャージ作業用及びバギング作業用のカッタブレード１４（ここでは、「上部カッタブレード１４」と記載する）を取付け、刈草搬送通路３２（図４参照）に蓋部材（不図示）を被せ、作業を遂行するものである。
【００３３】
図６は本発明に係る芝刈機のクラッチ機構の正面断面図であり、クラッチ機構（クラッチ／ブレーキ機構）４０は、エンジン１３の出力軸２８に取付けた入力ハブ（駆動側ハブ）４１と、この入力ハブ４１に離接させるとともにカッタブレード１４を取付ける出力ハブ（受動側ハブ）４２と、これらの出力ハブ４２及び入力ハブ４１の間に介在させるとともに出力軸２８の軸線に沿って昇降させる摩擦板４３と、この摩擦板４３及び出力ハブ４２の間に介在させることで摩擦板４３を入力ハブ４１側に付勢する皿ばね４４と、摩擦板４３及び入力ハブ４１の間の離接を行うとともに摩擦板４３及び入力ハブ４１の回転を停止するブレーキ板４５と、このブレーキ板４５を昇降させる操作板４６と、からなる。
【００３４】
さらに、クラッチ機構４０は、操作板４６にケーブル４７の一端を接続し、後述するように、ケーブル４７の他端をロック機構６０を介してクラッチレバー２５（図２参照）に接続し、遠隔操作するものである。
【００３５】
図中、５１は操作板４６に付勢したコイルばね、５２は出力軸２８に取付けることで動力伝達部品２９（図４参照）を介して後輪１７，１７（図１参照）にエンジン１３の回転を伝達するプーリ、５３は出力軸２８と入力ハブ４１との間に介在させたベアリング、５４は出力ハブ４２側と操作板４６／ブレーキ板４５との間に介在させたベアリング、５５，５５（一方の５５は不図示）はカッタブレード１４を入力ハブ４１に固定するボルト、５６は入力ハブ４１及びベアリング５３，５４を一括して出力軸２８に取付けるボルトである。
【００３６】
すなわち、クラッチ機構（クラッチ／ブレーキ機構）４０は、カッタブレード１４（図１参照）にエンジン１３の回転を接続する若しくは切離すためのクラッチ機能を備えるとともに、カッタブレード１４の回転を許容する若しくは停止するためのブレーキ機能を備えたものと言える。
【００３７】
図７（ａ），（ｂ）は本発明に係る芝刈機のクラッチ機構の作用説明図であり、（ａ）はクラッチ切離し状態を示し、（ｂ）はクラッチ接続状態を示す。
（ａ）において、クラッチ機構４０は、ケーブル４７を矢印ａ１の如く弛めることで、ブレーキ板４５で摩擦板４３を押圧し、この摩擦板４３、皿ばね４４及び出力ハブ４２を停止させ、カッタブレード１４にブレーキをかけるとともに、摩擦板４３と入力ハブ４１との間に隙間Ｓ１を空け、入力ハブ４１から出力ハブ４２を切離すようにする。
【００３８】
（ｂ）において、クラッチ機構４０は、ケーブル４７を矢印ａ２の如く引くことで、摩擦板４３からブレーキ板４５を解放し、摩擦板４３とブレーキ板４５との間に隙間Ｓ２を空けるとともに、入力ハブ４１に摩擦板４３を接続し、入力ハブ４１から摩擦板４３、皿ばね４４、出力ハブ４２及びカッタブレード１４の順に出力軸２８の回転を伝達する。なお、摩擦板４３とブレーキ板４５との間に隙間Ｓ２を開けたことを示す。
【００３９】
図８は本発明に係る芝刈機の下部カッタブレードの平面図であり、下部カッタブレード１４は、バギングモード及びディスチャージモード（図５参照）のときに使用するブレードである。
下部カッタブレード１４は、下部ブレード本体１１１と、この下部ブレード本体１１１の回転方向の前方端部にそれぞれ形成した芝草を刈るための刈刃部３８，３８（以下、「下刈刃部３８，３８」と記載する）と、これらの下刈刃部３８，３８の後方にそれぞれ形成することで旋回流及び上昇気流を発生させるエアリフト部３９，３９と、下部ブレード本体１１１の中央に形成することでボルト５６（図６参照）の頭を逃がすボルト逃げ凹部１１４，１１４及びボルト逃げ孔１１５と、クラッチ機構４０（図６参照）の出力ハブ４２に取付けるためにボルト５５．５５を貫通させる取付孔１１６，１１６と、からなる。
【００４０】
エアリフト部３９は、エアリフト部３９で起こす旋回流・上昇気流を整流するために後端面１１７に設けた波形状のエッジを構成する凸部１１８・・・（・・・は複数個を示す。以下同じ）及び凹部１１９，１１９と、エアリフト部３９の下面に生ずる負圧を解消させる長孔（通孔）１０９・・・と、を備える。
【００４１】
すなわち、エアリフト部３９の後端面１１７を波形状に形成することで、エアリフト部３９で起こす旋回流・上昇気流を整流することができる。この結果、芝草を刈り易いように起立させた状態を保持することができる。
また、エアリフト部３９の下面に生ずる負圧を解消させる長孔（通孔）１０９・・・を設けることで、エアリフト部３９の下面に負圧により生ずる渦流の発生を防止することができる。この結果、回転騒音の低減を図ることができる。
【００４２】
図９は本発明に係る芝刈機の上部カッタブレードの平面図であり、上部カッタブレード１５は、マルチングモード（図５参照）のときに下部カッタブレード１４と併用するブレードである。
上部カッタブレード１５は、上部カッタブレード本体１２１と、上部ブレード本体１２１の回転方向の前方端部にそれぞれ形成した芝草を刈るための上刈刃部１２２，１２２と、これらの上刈刃部１２２，１２２の後方にブレード幅を端部に向けて先細りにそれぞれ形成することでエアリフト部３９，３９（図８参照）との干渉を避ける直線状の逃げ部１２３，１２３と、上部ブレード本体の中央に形成することでボルト５６（図６参照）の頭を逃がすボルト逃げ孔１２５と、クラッチ機構４０（図６参照）の出力ハブ４２に下部カッタブレード１４と共締めするとともに取付角度を調整可能にした円弧孔１２６，１２６と、からなる。
【００４３】
図１０は本発明に係る芝刈機の上部・下部カッタブレードの取付状態を示す平面図であり、図５に示す芝刈機１０は、カッタハウジング１２の上部にエンジン（動力源）１３を取付け、カッタハウジング１２内にエンジン１３の出力軸２８を略鉛直に突出させ、この出力軸２８の先端に下部カッタブレード１４を取付け、この下部カッタブレード１４の上方に且つ出力軸２８に上部カッタブレード１５を取付けることで、これらのカッタブレード１４，１５をカッタハウジング１２内で略水平に回転させる形式の芝刈機において、下部カッタブレード１４に、芝草を刈るために回転方向の前方に形成した下刈刃部３８，３８と、下刈刃部３８，３８の後方に形成することで旋回流及び上昇気流を発生させるエアリフト部３９，３９と、を備え、上部カッタブレード１５に、芝草を刈るために回転方向の前方に形成した上刈刃部１２２，１２２と、上刈刃部１２２，１２２の後方にブレード幅を端部に向けて先細りに形成することでエアリフト部３９，３９との干渉を避ける逃げ部１２３，１２３と、を備え、下刈刃部３８に対する上刈刃部１２２の位相を前方に進めて、出力軸２８に上部・下部カッタブレード１５，１４を配置したものと言える。
【００４４】
例えば、一般カッタブレード（下部カッタブレード）のエアリフト部に専用カッタブレード（上部カッタブレード）が干渉し、エアリフト部の旋回流発生機能を阻害することを回避することができるとすれば、カッタブレードの騒音の低減を図ることできるので好ましいことである。
【００４５】
そこで、下刈刃部３８に対する上刈刃部１２２の位相を前方に進めて、出力軸２８に上部・下部カッタブレード１５，１４を配置した。
【００４６】
すなわち、下部カッタブレード１４に、芝草を刈るために回転方向の前方に形成した下刈刃部３８，３８と、下刈刃部３８，３８の後方に形成することで旋回流及び上昇気流を発生させるエアリフト部３９，３９と、を備え、上部カッタブレード１５に、芝草を刈るために回転方向の前方に形成した上刈刃部１２２，１２２と、上刈刃部１２２，１２２の後方にブレード幅を端部に向けて先細りに形成することでエアリフト部３９，３９との干渉を避ける逃げ部１２３，１２３と、を備え、下刈刃部３８に対する上刈刃部１２２の位相を前方に進めて、出力軸２８に上部・下部カッタブレード１５，１４を配置することで、下部カッタブレード１４のエアリフト部３９に上部カッタブレード１５が干渉することを回避することができる。これにより、エアリフト部３９の旋回流・上昇気流発生機能を阻害することを防止することができる。この結果、カッタブレード１４，１５の騒音の低減を図ることがきる。
【００４７】
また、芝刈機１０は、上部カッタブレード１５の逃げ部１２３，１２３を下部カッタブレード１４の下刈刃部３８，３８に平面視で交差する範囲（重なる位置）に設定したものと言える。
逃げ部１２３は、エアリフト部３９の旋回流発生機能を阻害することを回避するたもの部分であり、必要以上に大きく設定すると上部カッタブレード１５及び下部カッタブレード１４の一体性が薄れ、回転騒音が増加する。従って、上部カッタブレード１５の逃げ部１２３，１２３を下部カッタブレード１４の下刈刃部３８，３８に平面視で交差する範囲（重なる位置）に設定することで、回転騒音の増加を抑制することができる。
【００４８】
また、下部カッタブレード１４の下刈刃部３８，３８及び上部カッタブレード１５の上刈刃部１２２，１２２の位相が少ない場合には、芝草を上部カッタブレード１５で切断する際に、上刈刃部１２２，１２２の前方に倒され（傾き）、この傾いた状態の芝草を下部カッタブレード１４の下刈刃部３８，３８で切断することになり下部カッタブレード１４は的確に芝草を切断することができないこともある。
【００４９】
すなわち、芝刈機１０（図１参照）は、下部カッタブレード１４の下刈刃部３８，３８に上部カッタブレード１５の上刈刃部１２２，１２２をずらして配置することで、芝草を上部カッタブレード１５で切断し、この上部カッタブレード１５で切断した際に上刈刃部１２２，１２２の前方に倒され（傾きいた）芝草がエアリフト部３９，３９の下面に生ずる負圧でふたたび垂直に戻るのを待ってカッタブレード１４の下刈刃部３８，３８でもう一度切断するようにした。
この結果、芝草面を所定の高さに且つ均一に刈ることができる。これにより、良好な仕上がりを期待することができる。
【００５０】
図１１は本発明に係る芝刈機の上部・下部カッタブレードの取付状態を示す側面図であり、上部カッタブレード１５を、エアリフト部３９の後端面１１７に略同一高さに設定したことを示す。
上部カッタブレード１５を、エアリフト部３９の後端面１１７に略同一高さに設定することで、下部カッタブレード１４の干渉を避けるとともに、カッタハウジング１２の高さ寸法を最小限に抑えることができる。この結果、芝刈機１０（図５参照）の重心位置を保持しつつ、騒音の低減を図ることができる。
【００５１】
図１２は本発明に係る芝刈機の上部・下部カッタブレードの騒音レベルを示す作用説明図であり、横軸に上部・下部カッタブレード１５，１４のブレードの位相角θを示し、縦軸に騒音レベルを示す。
また、騒音レベル範囲Ｅは、上部・下部カッタブレード１５，１４の回転数を２７５０回転に設定したときの騒音レベルを示し、ブレードの位相角θを１２度に設定したときに騒音レベルを最小にすることができる。ブレードの位相角θを１２度から小さく設定する場合に騒音レベルは増加するとともに、ブレードの位相角θを１２度から大きく設定する場合にも騒音レベルは増加する。
【００５２】
騒音レベル範囲Ｆは、上部・下部カッタブレード１５，１４の回転数を２８５０回転に設定したときの騒音レベルを示し、ブレードの位相角θを１３度に設定したときに騒音レベルを最小にすることができる。ブレードの位相角θを１３度から小さく設定する場合に騒音レベルは増加するとともに、ブレードの位相角θを１３度から大きく設定する場合にも騒音レベルは増加する。
【００５３】
すなわち、ブレードの位相角θを１０〜１５度に設定するのが好ましく、ブレードの位相角θの実用範囲は５〜２０度である。
芝刈機１０（図５参照）は、下刈刃部３８に対する上刈刃部１２２の位相角を、５〜２０度に設定するようにしたものと言える。
【００５４】
例えば、下刈刃部３８に対する上刈刃部１２２の位相角が小さい場合には下部カッタブレード１４に上部カッタブレード１５が干渉するので、これらのカッタブレード１４，１５の騒音が増加する。また、下刈刃部３８に対する上刈刃部１２２の位相角θが大きう場合には、上部・下部カッタブレード１５，１４の一体性が失なわれるので、これらのカッタブレード１４，１５の騒音（風切り音）が増加する。そこで、下刈刃部３８に対する上刈刃部１２２の位相角を、５〜２０度に設定することで、騒音の低減を図ることができる。
【００５５】
尚、本発明に係る芝刈機は、図１０に示すように、上部カッタブレード１５に直線状の逃げ部１２３，１２３を形成したが、これに限るものではなく、逃げ部は曲線状若しくは波形にしたものであってもよい。
【産業上の利用可能性】
【００５６】
本発明に係る芝刈機は、動力源としてエンジンを搭載し、このエンジンに回転を後輪に伝達する自走式の芝刈機に採用するのに好適である。
【図面の簡単な説明】
【００５７】
【図１】本発明に係る芝刈機の斜視図である。
【図２】本発明に係る芝刈機の側面図である。
【図３】本発明に係る芝刈機の平面図である。
【図４】図１の４矢視図である。
【図５】本発明に係る芝刈機のマルチング作業状態を示すの側面図である。
【図６】本発明に係る芝刈機のクラッチ機構の正面断面図である。
【図７】本発明に係る芝刈機のクラッチ機構の作用説明図である。
【図８】本発明に係る芝刈機の下部カッタブレードの平面図である。
【図９】本発明に係る芝刈機の上部カッタブレードの平面図である。
【図１０】本発明に係る芝刈機の上部・下部カッタブレードの取付状態を示す平面図である。
【図１１】本発明に係る芝刈機の上部・下部カッタブレードの取付状態を示す側面図である。
【図１２】本発明に係る芝刈機の上部・下部カッタブレードの騒音レベルを示す作用説明図である。
【図１３】従来の芝刈機の基本構成を説明する図である。
【図１４】従来のカッタブレードの基本構成を説明する図である。
【符号の説明】
【００５８】
１０…芝刈機、１２…カッタハウジング、１３…動力源（エンジン）、１４…上部カッタブレード（カッタブレード）、１４…下部カッタブレード、２８…出力軸、３８…下刈刃部、３９…エアリフト部、１１７…後端面、１２２…上刈刃部、１２３…逃げ部。
【図１】
2006067918.tif 000003
【図２】
2006067918.tif 000004
【図３】
2006067918.tif 000005
【図４】
2006067918.tif 000006
【図５】
2006067918.tif 000007
【図６】
2006067918.tif 000008
【図７】
2006067918.tif 000009
【図８】
2006067918.tif 000010
【図９】
2006067918.tif 000011
【図１０】
2006067918.tif 000012
【図１１】
2006067918.tif 000013
【図１２】
2006067918.tif 000014
【図１３】
2006067918.tif 000015
【図１４】
2006067918.tif 000016